【手続補正書】
【提出日】平成15年8月25日(2003.8.25)
【手続補正１】
【補正対象書類名】明細書
【補正対象項目名】特許請求の範囲
【補正方法】変更
【補正の内容】
【特許請求の範囲】
【請求項１】
取忘れあるいは残乗車区間のある乗車券を集札する集札手段と、
この集札手段により集札された乗車券の情報を表示する表示手段と、
この表示手段により表示された内容に応じて、排出する乗車券を指示する指示手段と、
この指示手段による指示に基づいて指示に対応する乗車券を排出する排出手段と、
を具備したことを特徴とする自動改札システム。
【請求項２】
複数の自動改札機とこれらの自動改札機と回線を介して接続されている監視装置とを具備する自動改札システムにおいて、
上記自動改札機は、
取忘れあるいは残乗車区間のある乗車券を集札する集札手段と、
この集札手段による集札内容を上記監視装置へ出力する第１の出力手段と、
上記監視装置により指示された乗車券に対応する乗車券を排出する排出手段とからなり、
上記監視装置は、
上記自動改札機から供給される集札された乗車券の情報を表示する表示手段と、
この表示手段により表示された内容に応じて、排出する乗車券と自動改札機を指示する指示手段と、
この指示手段により指示された上記自動改札機に対して排出する乗車券の指示を出力する第２の出力手段と、
を具備したことを特徴とする自動改札システム。
【請求項３】
複数の自動改札機とこれらの自動改札機と回線を介して接続されている監視装置とを具備する自動改札システムにおいて、
上記自動改札機は、
取忘れあるいは残乗車区間のある乗車券を集札する集札手段と、
この集札手段による集札内容を上記監視装置へ出力する第１の出力手段と、
上記監視装置により指示に応じて、上記集札手段に集札されている乗車券を取出して読取る読取手段と、
上記監視装置により指示された乗車券と上記読取手段により読取った読取り内容とが一致する乗車券を排出する排出手段とからなり、
上記監視装置は、
上記自動改札機から供給される集札された乗車券の情報を表示する表示手段と、
この表示手段により表示された内容に応じて、排出する乗車券と自動改札機を指示する指示手段と、
この指示手段により指示された上記自動改札機に対して排出する乗車券の指示を出力する第２の出力手段と、
を具備したことを特徴とする自動改札システム。
【請求項４】
取忘れあるいは残乗車区間のある乗車券を集札する集札手段と、
この集札手段により集札された乗車券の情報を記憶する記憶手段と、
この記憶手段に記憶された情報を表示する表示手段と、
この表示手段により表示された内容に応じて、排出する乗車券を指示する指示手段と、
この指示手段により指示された乗車券に対応する乗車券を上記記憶手段の記憶内容に基づいて排出する排出手段と、
を具備したことを特徴とする自動改札システム。
【請求項５】
複数の自動改札機とこれらの自動改札機と回線を介して接続されている監視装置とを具備する自動改札システムにおいて、
上記自動改札機は、
取忘れあるいは残乗車区間のある乗車券を集札する集札手段と、
この集札手段による集札内容を上記監視装置へ出力する第１の出力手段と、
上記監視装置により指示された乗車券に対応する乗車券を排出する排出手段とからなり、
上記監視装置は、
上記自動改札機から供給される集札された乗車券の情報を記憶する記憶手段と、
この記憶手段に記憶された情報を表示する表示手段と、
この表示手段により表示された内容に応じて、排出する乗車券と自動改札機を指示する指示手段と、
この指示手段により指示された上記自動改札機へ排出する乗車券の指示を出力する第２の出力手段と、
を具備したことを特徴とする自動改札システム。
【請求項６】
複数の自動改札機とこれらの自動改札機と回線を介して接続されている監視装置とを具備する自動改札システムにおいて、
上記自動改札機は、
取忘れあるいは残乗車区間のある乗車券を集札する集札手段と、
この集札手段による集札内容を上記監視装置へ出力する第１の出力手段と、
上記監視装置により指示に応じて、上記集札手段に集札されている乗車券を取出して読取る読取手段と、
上記監視装置により指示された乗車券と上記読取手段により読取った読取り内容とが一致する乗車券を排出する排出手段とを具備し、
上記監視装置は、
上記自動改札機から供給される集札された乗車券の情報を記憶する記憶手段と、
この記憶手段に記憶された情報を表示する表示手段と、
この表示手段により表示された内容に応じて、排出する乗車券と自動改札機を指示する指示手段と、
この指示手段により指示された上記自動改札機へ排出する乗車券の指示を出力する第２の出力手段と
を具備したことを特徴とする自動改札システム。
【手続補正２】
【補正対象書類名】明細書
【補正対象項目名】０００１
【補正方法】変更
【補正の内容】
【０００１】
【発明の属する技術分野】
この発明は、複数の自動改札機とこれらの自動改札機を監視する改札機監視装置とを具備してなる自動改札システムに関する。


【手続補正３】
【補正対象書類名】明細書
【補正対象項目名】０００２
【補正方法】変更
【補正の内容】
【０００２】
【従来の技術】
交通機関の駅の改札口に設置されている複数の自動改札機とこれらの自動改札機を監視する改札機監視装置とを具備する改札処理システムが実用化されている。
これまでの自動改札機では、乗車券類を１枚ずつ投入し、１枚ずつ取出口に放出するようになっていたが、近年、複数枚の一括取出が可能となるものが開発されている。また、従来、取出口に放出された乗車券を取り忘れると別集札箱に回収するようになっている。


【手続補正４】
【補正対象書類名】明細書
【補正対象項目名】００１０
【補正方法】変更
【補正の内容】
【００１０】
この発明の自動改札システムは、複数の自動改札機とこれらの自動改札機と回線を介して接続されている監視装置とを具備するものにおいて、上記自動改札機は、取忘れあるいは残乗車区間のある乗車券を集札する集札手段、この集札手段による集札内容を上記監視装置へ出力する第１の出力手段、上記監視装置により指示された乗車券に対応する乗車券を排出する排出手段からなり、上記監視装置は、上記自動改札機から供給される集札された乗車券の情報を表示する表示手段、この表示手段により表示された内容に応じて、排出する乗車券と自動改札機を指示する指示手段、この指示手段により指示された上記自動改札機に対して排出する乗車券の指示を出力する第２の出力手段を具備する。


【手続補正５】
【補正対象書類名】明細書
【補正対象項目名】００１１
【補正方法】変更
【補正の内容】
【００１１】
この発明の自動改札システムは、複数の自動改札機とこれらの自動改札機と回線を介して接続されている監視装置とを具備するものにおいて、上記自動改札機は、取忘れあるいは残乗車区間のある乗車券を集札する集札手段、この集札手段による集札内容を上記監視装置へ出力する第１の出力手段、上記監視装置により指示に応じて、上記集札手段に集札されている乗車券を取出して読取る読取手段、上記監視装置により指示された乗車券と上記読取手段により読取った読取り内容とが一致する乗車券を排出する排出手段からなり、上記監視装置は、上記自動改札機から供給される集札された乗車券の情報を表示する表示手段、この表示手段により表示された内容に応じて、排出する乗車券と自動改札機を指示する指示手段、この指示手段により指示された上記自動改札機に対して排出する乗車券の指示を出力する第２の出力手段を具備する。


【手続補正６】
【補正対象書類名】明細書
【補正対象項目名】００１３
【補正方法】変更
【補正の内容】
【００１３】
この発明の自動改札システムは、複数の自動改札機とこれらの自動改札機と回線を介して接続されている監視装置とを具備するものにおいて、上記自動改札機は、取忘れあるいは残乗車区間のある乗車券を集札する集札手段、この集札手段による集札内容を上記監視装置へ出力する第１の出力手段、上記監視装置により指示された乗車券に対応する乗車券を排出する排出手段からなり、上記監視装置は、上記自動改札機から供給される集札された乗車券の情報を記憶する記憶手段、この記憶手段に記憶された情報を表示する表示手段、この表示手段により表示された内容に応じて、排出する乗車券と自動改札機を指示する指示手段、この指示手段により指示された上記自動改札機へ排出する乗車券の指示を出力する第２の出力手段を具備する。


【手続補正７】
【補正対象書類名】明細書
【補正対象項目名】００１４
【補正方法】変更
【補正の内容】
【００１４】
この発明の自動改札システムは、複数の自動改札機とこれらの自動改札機と回線を介して接続されている監視装置とを具備するものにおいて、上記自動改札機は、取忘れあるいは残乗車区間のある乗車券を集札する集札手段、この集札手段による集札内容を上記監視装置へ出力する第１の出力手段、上記監視装置により指示に応じて、上記集札手段に集札されている乗車券を取出して読取る読取手段、上記監視装置により指示された乗車券と上記読取手段により読取った読取り内容とが一致する乗車券を排出する排出手段からなり、上記監視装置は、上記自動改札機から供給される集札された乗車券の情報を記憶する記憶手段、この記憶手段に記憶された情報を表示する表示手段、この表示手段により表示された内容に応じて、排出する乗車券と自動改札機を指示する指示手段、この指示手段により指示された上記自動改札機へ排出する乗車券の指示を出力する第２の出力手段を具備する。